(57)【要約】【課題】  ヒータ発熱部の加熱面温度の異常な上昇を防止する。【解決手段】  液体加熱用容器７内の水１０に没入させて配置するヒータ発熱部２の加熱面に、形状記憶合金製の矩形板状の変形部材１５の長手方向の一端部を取り付ける。変形部材１５は、水１０の沸点を或る温度幅分超過した変形温度よりも低い温度では、ヒータ発熱部２の加熱面に沿う姿勢を取り、変形温度以上の温度では、自由端側の端部１７がヒータ発熱部２の加熱面より離反する方向に突出する形状に変形する変形能を有する。更に、変形部材１５は、表面を親水性加工してある。水１０を加熱するときにヒータ発熱部２の加熱面に気泡１８で覆われた部分が生じて変形部材１５の変形温度に達すると、変形部材１５が変形して気泡１８の外側の水１０に接するため、変形部材１５を介した伝熱と、表面の親水性による水１０の加熱面側への導入により、加熱面温度の上昇を抑制させる。【選択図】図１
2015133227.tif 000002
【特許請求の範囲】
【請求項１】
加熱対象液体に没入させて配置するヒータ発熱部を備え、
前記ヒータ発熱部の加熱面に、或る長さ寸法を有する変形部材の一端部を取り付けて、他端部を自由端側とし、
且つ前記変形部材は、前記加熱対象液体の沸点よりも予め設定した或る温度幅分超過した変形温度よりも低い温度では、前記ヒータ発熱部の加熱面に沿う姿勢を取り、前記変形温度以上の温度になると、前記自由端側の端部が、前記ヒータ発熱部の加熱面より離反する方向に突出する形状に変形する温度感受式の変形能を備えるものとした構成を有すること
を特徴とするヒータ。
【請求項２】
変形部材は、ヒータ発熱部の加熱面に、加熱対象容器を貯留する液体加熱用容器内における加熱対象液体の流れ方向に沿う姿勢で配置すると共に、前記加熱対象液体の流れ方向の上流側に位置する端部を、前記ヒータ発熱部の加熱面に対し取り付ける構成とした
請求項１記載のヒータ。
【発明の詳細な説明】
【技術分野】
【０００１】
本発明は、加熱対象液体にヒータ発熱部の加熱面を接触させる形式のヒータに関するものである。
【背景技術】
【０００２】
投込ヒータ等のパイプヒータは、一般に、外面が平滑なヒータ管（シース又はパイプとも称す）に電熱線を封入した構成のヒータ発熱部を備えている。したがって、このパイプヒータでは、前記ヒータ管の外面が、ヒータ発熱部の加熱面になる。
【０００３】
かかる構成のパイプヒータを使用する場合は、前記ヒータ発熱部を、液体加熱用容器内の加熱対象液体に没入させた状態で、ヒータ発熱部の電熱線への通電を行う。これにより、前記ヒータ発熱部では、加熱面より、該加熱面に接触している加熱対象液体に対する熱伝達を行って、該加熱対象液体を加熱するようにしている。
【０００４】
ところで、前記パイプヒータを用いて加熱対象液体を沸騰させる場合は、前記ヒータ発熱部の加熱面で、前記加熱対象液体の蒸気による気泡が発生する。
【０００５】
この気泡は、通常、前記ヒータ発熱部の加熱面に付着する気泡が多くなるにしたがって気泡同士がつながり、或る程度の大きさになると、気泡自身の浮力により自然に前記ヒータ発熱部の加熱面より離脱する。
【０００６】
しかし、加熱度が上昇する場合は、熱流束の増加や、液体加熱用容器内における加熱対象液体の流れ方向で沸騰が発達することに伴い、大きな気泡がヒータ発熱部の加熱面を覆うようになる。
【０００７】
このヒータ発熱部の加熱面にて大きな気泡に覆われた個所では、加熱対象液体との直接的な接触が妨げられるため、該ヒータ発熱部の加熱面に乾いた領域が生じる。このようなヒータ発熱部の加熱面における乾いた領域では、加熱対象液体への熱伝達率が急激に低下するため、その部分の加熱面温度が異常に上昇することがあり、それがパイプヒータの故障につながる虞がある。
【０００８】
なお、ヒートパイプに関する技術分野では、ヒートパイプ内の或る地点に大きな局所的熱流束が存在した場合の局所的なドライアウトが生じることを防止するために、ヒートパイプの内部領域を区画形成するコンテナの内部表面に配置されるウィック材料を、第１の変態温度を有する第１の形状記憶合金から構成された内層と、第１の変態温度よりも高い第２の変態温度を有する第２の形状記憶合金から構成された外層とを備えたウィック材料とすることが従来提案されている（たとえば、特許文献１参照）。
【０００９】
しかし、前記特許文献１に示されたものは、形状記憶合金を利用しているが、ヒートパイプ内にて局所的なドライアウトが生じそうな場合に、その部分のウィック材料を収縮させて毛細管ポンプ圧を維持または増大させるためのものに過ぎない。
【先行技術文献】
【特許文献】
【００１０】
【特許文献１】特開２００３−２４０４６２号公報
【発明の概要】
【発明が解決しようとする課題】
【００１１】
そこで、本発明は、ヒータ発熱部の加熱面に加熱対象液体の気泡が付着しても加熱面温度が異常に上昇する現象を防止できるヒータを提供しようとするものである。
【課題を解決するための手段】
【００１２】
本発明は、前記課題を解決するために、請求項１に対応して、加熱対象液体に没入させて配置するヒータ発熱部を備え、前記ヒータ発熱部の加熱面に、或る長さ寸法を有する変形部材の一端部を取り付けて、他端部を自由端側とし、且つ前記変形部材は、前記加熱対象液体の沸点よりも予め設定した或る温度幅分超過した変形温度よりも低い温度では、前記ヒータ発熱部の加熱面に沿う姿勢を取り、前記変形温度以上の温度になると、前記自由端側の端部が、前記ヒータ発熱部の加熱面より離反する方向に突出する形状に変形する温度感受式の変形能を備えるものとした構成を有するヒータとする。
【００１３】
又、請求項２に対応して、前記請求項１に対応する構成において、変形部材は、ヒータ発熱部の加熱面に、加熱対象容器を貯留する液体加熱用容器内における加熱対象液体の流れ方向に沿う姿勢で配置すると共に、前記加熱対象液体の流れ方向の上流側に位置する端部を、前記ヒータ発熱部の加熱面に対し取り付ける構成とする。
【発明の効果】
【００１４】
本発明によれば、以下のような優れた効果を発揮する。
【００１５】
ヒータ発熱部の加熱面に気泡が付着しても、加熱面温度が変形部材の変形温度に達した部分では、その部分に設けてある変形部材を介して気泡の外側の加熱対象液体へ伝熱を行うことができる。よって、前記ヒータ発熱部の加熱面の温度が異常に上昇する現象は防止できる。
【図面の簡単な説明】
【００１６】
【図１】本発明のヒータの実施の一形態を示すもので、（ａ）は液体加熱用容器に取り付けた状態を示す概略側面図、（ｂ）はヒータ発熱部の一部を拡大して示す図、（ｃ）はヒータ発熱部の加熱面に気泡が付着した状態を示す（ｂ）に対応する図である。
【図２】本発明の実施の他の形態を示すもので、ヒータ発熱部の別の構成例を示す図１（ｂ）に対応する図である。
【発明を実施するための形態】
【００１７】
以下、本発明を実施するための形態を図面を参照して説明する。
【００１８】
図１（ａ）（ｂ）（ｃ）は本発明のヒータの実施の一形態を示すものである。
【００１９】
本発明のヒータは、図１（ａ）に符号１で示すもので、電熱線（図示せず）を封入したＵ字状のヒータ管３と、該ヒータ管３の両端部が接続された電源ユニット４を備える。該電源ユニット４は、電源コード５を介して図示しない電源より供給される電力を、前記ヒータ管３に封入されている図示しない電熱線に供給するためのものである。
【００２０】
更に、前記電源ユニット４における前記ヒータ管３寄りの端部には、容器取付手段としてのフランジ部６が設けてある。
【００２１】
これにより、前記本発明のヒータ１は、たとえば、図１（ａ）に示すように、水平方向に延びる液体加熱用容器７に対し、長手方向の一端壁に設けられた開口部８から前記ヒータ管３を容器内部に挿入するように配置した状態で、該開口部８の周縁部の外面に、前記フランジ部６を図示しないボルトを介して取り付ける構成としてある。
【００２２】
なお、前記液体加熱用容器７は、長手方向の他端寄りの下部に設けた入口９に加熱対象液体としての水（冷水）１０の供給管１１が接続され、一端寄りの上部に設けた出口１２に温水１３の送出管１４が接続された構成となっている。したがって、前記液体加熱用容器７では、供給管１１を通して入口９より供給される水１０が容器内に充満すると、出口１２まで水位が達する。
【００２３】
そのため、前記本発明のヒータ１は、前記液体加熱用容器７に水１０が充満した状態では、前記ヒータ管３全体が水１０に没入した配置となることから、該ヒータ管３全体をヒータ発熱部２とするようにしてある。
【００２４】
更に、本発明のヒータ１は、図１（ａ）（ｂ）に示すように、前記ヒータ発熱部２の加熱面に、後述する温度感受式の変形能を有する変形部材１５を設けた構成としてある。
【００２５】
前記変形部材１５は、たとえば、或る長さ寸法を有する矩形板状としてある。
【００２６】
又、前記変形部材１５は、前記ヒータ発熱部２の加熱面の一部である前記ヒータ管３の水平方向に延びる部分の上半部の外面に、該変形部材１５の長手方向をヒータ管３の軸心方向に沿わせた姿勢で、千鳥形の配列で複数配置されている。このように配置された各変形部材１５は、前記液体加熱用容器７内で入口９から出口１２に向かう水１０の流れ方向（図１（a）（ｂ）に矢印ｆで示す方向）の上流寄りに位置する側の端部が、前記ヒータ管３の外面の対応する個所に、スポット溶接により取り付けられている。図１（ｂ）にて前記各変形部材１５の固定側端部は符号１６で示す。
【００２７】
なお、前記変形部材１５を前記ヒータ管３の長手方向に沿わせた姿勢とし、且つ該変形部材１５の前記固定側端部１６を前記液体加熱用容器７内における水１０の流れ方向（矢印ｆ方向）の上流側に配置したのは、前記液体加熱用容器７内における水１０の流れに対する前記変形部材１５による圧力損失の増加を抑えるためである。
【００２８】
又、前記変形部材１５を前記ヒータ管３における水平方向に延びる部分の上半部の外面に取り付けるのは、後述するように前記ヒータ発熱部２により前記液体加熱用容器７内の水１０を加熱して沸騰させるときに発生する気泡１８は、前記ヒータ管３の水平方向に延びる部分の上半部に付着して留まりやすいためである。よって、この構成では、前記気泡１８が付着しにくいその他の部分には前記変形部材１５を配置しないので、本発明のヒータ１の構成部材の数を減らすことができる。
【００２９】
次に、前記変形部材１５の温度感受式の変形能について説明する。
【００３０】
前記変形部材１５は、たとえば、前記加熱対象液体である水１０の沸点よりも予め設定した或る温度幅分超過した温度を変形温度（変態点）とする形状記憶合金製としてあり、前記変形温度よりも低い温度の場合は、図１（ｂ）に示すように、平らな板状となって、前記ヒータ発熱部２の加熱面であるヒータ管３の外面に沿う姿勢を取るものとする。
【００３１】
一方、前記変形部材１５は、前記変形温度以上の温度になると、図１（ｃ）に示すように、長手方向の全長に亘り前記ヒータ発熱部２の加熱面とは逆側に湾曲して（反って）、前記固定側端部１６とは反対側の自由端側の端部１７が、前記ヒータ発熱部２の加熱面より離反する方向に突出する形状に変形するものとする。なお、前記変形部材１５は、このように湾曲変形した状態のときに、前記自由端側の端部１７のヒータ発熱部２の加熱面からの突出量が、本発明のヒータ１の使用時に前記ヒータ発熱部２の加熱面に付着すると想定される最も大きい気泡１８の厚み寸法よりも大となるように、該変形部材１５の長さ寸法、及び、湾曲変形時の曲率あるいは湾曲変形時の形状が設定してあるものとする。
【００３２】
更に、前記変形部材１５は、前記変形温度以上の温度から該変形温度よりも低い温度まで温度低下すると、前記初期形状である平らな板状に形状が復帰するよう再変形するものとしてある。
【００３３】
又、前記変形部材１５は、その表面に、たとえば、酸化チタン被膜による親水性加工が施されている。この酸化チタン被膜の親水性加工は、既知のスプレーコート法やスパッタ法などの親水性加工方法を用いて行うようにすればよい。これにより、前記変形部材１５では、前記自由端側の端部１７が水１０に接触していれば、前記親水性加工されている表面が濡れることによって、その水１０を固定側端部１６まで導くことができる構成としてある。
【００３４】
あるいは、前記変形部材１５は、前記親水性加工に代えて、その表面に、長手方向に延びる細い溝（図示せず）を多数設けて、前記自由端側の端部１７が水１０に接触している状態のときに、その水１０を前記溝による毛管現象により固定側端部１６まで導くことができる構成としてもよい。
【００３５】
以上の構成としてある本発明のヒータ１を使用する場合は、前述したように液体加熱用容器７に取り付けた状態とし、予め、この液体加熱用容器７内に、供給管１１より入口９を通して供給される水１０を充満させる。その後、この供給管１１からの水１０の供給は、或る一定流量で連続的に行うようにする。
【００３６】
この状態で、本発明のヒータ１では、電源ユニット４から前記ヒータ発熱部２の図示しない電熱線への通電を開始する。これにより、前記液体加熱用容器７内では、前記ヒータ発熱部２の加熱面に接している水１０が順次加熱されるため、前記入口９から容器内へ供給された水１０は、出口１２に向かう間に温水１３とされ、この温水１３が、出口１２より送出管１４を通して外部へ送り出されるようになる。
【００３７】
本発明のヒータ１により前記ヒータ発熱部２の加熱面に接する水１０を沸騰させる加熱を行う場合は、該ヒータ発熱部２の加熱面で蒸気の気泡１８が発生する。
【００３８】
その後、加熱度が上昇して、図１（ｃ）に示すように、大きな気泡１８がヒータ発熱部２の加熱面を覆うようになると、その気泡１８に覆われた個所では、加熱面に乾いた領域が生じて、その部分の加熱面温度が、前記水１０の沸点よりも上昇するが、その加熱面温度が前記変形部材１５の変形温度に達すると、該変形温度まで温度上昇した部分に取り付けられている変形部材１５が、前述したような湾曲変形を生じる。
【００３９】
これにより、前記湾曲変形した変形部材１５では、自由端側の端部１７が、前記気泡１８の外側に突出して水１０に接するようになるため、ヒータ発熱部２の加熱面の前記気泡１８に覆われた部分の熱が、その部分に配置されている変形部材１５を介して気泡１８の外側の水１０に伝熱される。
【００４０】
更に、前記変形部材１５では、水１０に接している自由端側の端部１７から固定側端部１６へ、親水性加工されている変形部材１５の表面に沿って水が導かれる。あるいは、前記変形部材１５が表面に長手方向に延びる細い溝を多数設けた構成としてある場合は、該溝による毛管現象により、前記自由端側の端部１７より固定側端部１６まで水１０が導かれる。
【００４１】
したがって、前記ヒータ発熱部２の加熱面における前記気泡１８に覆われた部分には、その気泡１８の外側へ突出するように湾曲変形した変形部材１５を伝って水１０が加熱面側へ供給されるため、該加熱面の乾燥が抑制される。
【００４２】
以上により、本発明のヒータ１では、前記加熱面の異常な温度上昇が防止される。
【００４３】
その後、前記気泡１８が前記ヒータ発熱部２の加熱面より離脱すると、この気泡１８に覆われていた部分の加熱面温度は、前記変形部材１５の変形温度から、水１０の沸点付近まで温度低下する。これにより、前記湾曲変形していた変形部材１５は、前記ヒータ発熱部２の加熱面に沿う形状に復帰するため、該変形部材１５が湾曲変形していたときに生じていた圧力損失の増加が解消される。
【００４４】
このように、本発明のヒータ１によれば、前記ヒータ発熱部２の加熱面に気泡１８が付着しても、加熱面温度が異常に上昇する現象が発生することを防止できて、ヒータの故障につながる虞を回避できる。
【００４５】
更に、本発明のヒータ１では、前記変形部材１５は、ヒータ発熱部２の加熱面に変形部材１５の変形温度までの温度上昇が生じていない個所では、前記ヒータ発熱部２の加熱面に沿う姿勢となっているので、圧力損失が常時増加することはなく、圧力損失が増加するとしても、その増加量を抑制できる。
【００４６】
なお、前記実施の形態では、変形部材１５を、形状記憶合金製のものとしたが、設定された前記変形部材１５の変形温度よりも低い温度ではほぼ平板状となり、一方、前記変形温度以上では湾曲変形する特性を備えたバイメタルによる変形部材１５を採用してもよい。
【００４７】
又、前記実施の形態では、変形部材１５を、矩形板状のものとしたが、前記したヒータ発熱部２の加熱面に沿う姿勢と、該加熱面に付着する気泡１８の外側まで突出する湾曲変形状態との間での双方向の変形を行うことができれば、任意の平面形状の板状、又は、棒状等、矩形板状以外の任意の形状を採用してもよいことは勿論である。
【００４８】
前記の実施の形態では、ヒータ発熱部２の加熱面のうち、ヒータ管３の水平方向に延びる部分の上半部の外面にのみ変形部材１５を設ける構成としたが、本発明のヒータ１を液体加熱用容器７に取り付けて使用する際のヒータ管３の向きが予め定まっていない場合や、本発明のヒータ１が、ヒータ管３が上下方向に延びる配置となる姿勢で使用するものである場合は、図２に示すように、ヒータ管３の外周の周方向全域に、前記変形部材１５を取り付ける構成としてもよい。
【００４９】
液体加熱用容器７内での水１０の流れに対して変形部材１５が与える圧力損失を低減するためには、変形部材１５は、前記液体加熱用容器７内での水１０の流れ方向に沿わせて配置すると共に、その上流側に位置する端部をヒータ発熱部２の加熱面へ固定する構成が望ましいが、変形部材１５の姿勢と前記ヒータ発熱部２の加熱面への取付側の端部の配置は自在に設定してよい。
【００５０】
本発明のヒータ１は、前記ヒータ管３全体をヒータ発熱部２とするものとしたが、たとえば、液体加熱用容器７内の加熱対象液体の貯留形式や、本発明のヒータ１の取り付け姿勢等に応じて、ヒータ管３の加熱対象液体に没入させる部分にのみヒータ発熱部２が設定される形式であってもよい。
【００５１】
ヒータ発熱部２は、複数のヒータ管３による加熱面を備えた構成や、棒状、板状等、ヒータ管３以外の任意の形状の加熱面を備えたものであってもよい。
【００５２】
又、本発明は、前記実施の形態にのみ限定されるものではなく、前記変形部材１５のヒータ発熱部２の加熱面への取り付けは、本発明のヒータ１の使用温度条件で変形部材１５の取り付け状態を維持でき、且つヒータ発熱部２の加熱面から変形部材１５への熱の伝達を阻害することがなければ、スポット溶接以外の溶接方法や、溶接以外の任意の取付手段を採用してよい。
【００５３】
変形部材の表面の親水性加工は、本発明のヒータ１の使用温度条件で親水性を維持できれば、酸化チタン被膜以外の任意の親水性加工を採用してもよい。
【００５４】
液体加熱用容器７は、図示した以外の任意の形状、入口９と出口１２の配置は任意であり、更には、バッチ式で加熱対象液体を加熱する形式の液体加熱用容器７であってもよい。
【００５５】
本発明のヒータ１は、水１０以外の親水性を有する加熱対象液体の加熱に用いるヒータに適用してもよい。更に、本発明のヒータ１は、加熱対象液体が親油性や非極性の液体である場合に適用してもよく、この場合は、変形部材１５の表面を親油性加工するようにしてもよい。このように親油性加工した表面を有する変形部材１５では、自由端側の端部１７から固定側端部１６へ表面に沿って前記親油性や非極性の液体を導くことができるものとなる。
【００５６】
その他本発明の要旨を逸脱しない範囲内で種々変更を加え得ることは勿論である。
【符号の説明】
【００５７】
１  ヒータ、２  ヒータ発熱部、７  液体加熱用容器、１０  水（加熱対象液体）、１５  変形部材、１６  固定側端部、１７  端部
【図１】
2015133227.tif 000003
【図２】
2015133227.tif 000004